(57)【要約】      （修正有）【課題】台木と穂木との接合作業の効率の低下を抑制できる接ぎ木方法を提供する。【解決手段】穂木２’の胚軸２１’の下端部２１’ｂを先細り形状に切断加工する工程と、先細り形状に切断加工された下端部２１’ｂにおいて、穂木２’の下端から穂木２’の上端側に向かって延在する切り欠き３１を設ける工程と、切り欠き３１が設けられた下端部２１’ｂを台木に接合する工程とを備える接ぎ木方法。【選択図】図６
2020124122.tif 000002
【特許請求の範囲】
【請求項１】
穂木の胚軸の下端部を先細り形状に切断加工する工程と、
上記先細り形状に切断加工された下端部において、上記穂木の下端から上記穂木の上端側に向かって延在する切り欠きを設ける工程と、
上記切り欠きが設けられた下端部を台木に接合する工程と
を備える接ぎ木方法。
【請求項２】
請求項１に記載の接ぎ木方法において、
上記切り欠きは、上記先細り形状に加工された下端部において上記穂木の胚軸の径方向の中央部を除去するように設けられている接ぎ木方法。
【請求項３】
請求項１または２に記載の接ぎ木方法において、
上記切り欠きは、上記穂木の胚軸の径方向から見た形状が三角形状である接ぎ木方法。
【発明の詳細な説明】
【技術分野】
【０００１】
本発明は、例えば、割り接ぎ法、挿し接ぎ法、斜め接ぎ法、鞍接ぎ法などの接ぎ木方法に関する。
【背景技術】
【０００２】
従来、接ぎ木方法としては、特許文献１に開示されているように、台木の胚軸の切断面に穂木の胚軸の切断面を密着させた後、胚軸の切断面近傍の部分をシート状の熱可塑性樹脂フィルムで覆う方法がある。
【先行技術文献】
【特許文献】
【０００３】
【特許文献１】特開２０１６−１７４５５６号公報
【発明の概要】
【発明が解決しようとする課題】
【０００４】
ところが、上記従来の接ぎ木方法では、穂木の胚軸の直径が台木の胚軸の直径よりも大きいとき、穂木の師管および導管が台木の師管および導管と接続されないため、穂木と台木との継ぎ目部分にこぶができるなどの不具合が生じてしまう。
【０００５】
したがって、上記従来の接ぎ木方法では、上記不具合を避けるため、台木と、胚軸の直径が台木の胚軸の直径と略同じ穂木とを選ばなければならなくなって、台木と穂木との接合作業の効率が低下してしまうという問題がある。
【０００６】
そこで、本発明の課題は、台木と穂木との接合作業の効率の低下を抑制できる接ぎ木方法を提供することにある。
【課題を解決するための手段】
【０００７】
本発明の一態様の接ぎ木方法は、
穂木の胚軸の下端部を先細り形状に切断加工する工程と、
上記先細り形状に切断加工された下端部において、上記穂木の下端から上記穂木の上端側に向かって延在する切り欠きを設ける工程と、
上記切り欠きが設けられた下端部を台木に接合する工程と
を備える。
【０００８】
上記構成によれば、上記先細り形状に切断加工された下端部において、穂木の下端から穂木の上端側に向かって延在する切り欠きを設けることにより、切り欠きが設けられた下端部の直径を縮小することができる。したがって、上記穂木の胚軸の直径が台木の胚軸の直径よりも大きくても、切り欠きが設けられた下端部を台木に接合するとき、その下端部の直径を縮小することで、台木の師管および導管に穂木の師管および導管を接続できる。
【０００９】
このように、上記穂木の胚軸の直径が台木の胚軸の直径よりも大きくても、穂木と台木との接合を良好に行えるので、台木の胚軸の直径と略同じ直径の胚軸を有する穂木を探さなくて済む。したがって、上記台木と穂木との接合作業の効率の低下を抑制することができる。
【００１０】
一態様の接ぎ木方法では、
上記切り欠きは、上記先細り形状に加工された下端部において上記穂木の胚軸の径方向の中央部を除去するように設けられている。
【００１１】
上記態様によれば、上記先細り形状に加工された下端部において穂木の胚軸の径方向の中央部を除去するように、切り欠きを設けることにより、切り欠きが設けられた下端部の直径を縮小したとき、その下端部の損傷を抑制することができる。
【００１２】
一態様の接ぎ木方法では、
上記切り欠きは、上記穂木の胚軸の径方向から見た形状が三角形状である。
【００１３】
上記態様によれば、上記穂木の胚軸の径方向から見た形状が三角形状となるように、切り欠きを設けることにより、切り欠きが設けられた下端部の直径を大幅に縮小できる。
【発明の効果】
【００１４】
本発明の接ぎ木方法は、台木と穂木との接合作業の効率の低下を抑制できる。
【図面の簡単な説明】
【００１５】
【図１】本発明の一実施形態の接ぎ木方法（割り接ぎ法）の台木の模式斜視図である。
【図２】上記接ぎ木方法の穂木の模式斜視図である。
【図３】上記穂木の胚軸の下端部の模式正面図である。
【図４】上記穂木の胚軸の下端部の模式右側面図である。
【図５】上記穂木の胚軸の下端部の模式左側面図である。
【図６】上記接ぎ木方法の一工程を説明するための模式図である。
【図７】図６の工程に続く一工程を説明するための模式図である。
【図８】図６の工程に続く一工程を説明するための模式図である。
【図９】図７，図８の工程に続く一工程を説明するための模式図である。
【図１０】比較例の接ぎ木方法を説明するための模式図である。
【図１１】上記実施形態の接ぎ木方法の変形例を説明するための模式斜視図である。
【図１２】本発明の他の実施形態の接ぎ木方法（挿し接ぎ法）の一工程を説明するための模式図である。
【図１３】図１２の工程に続く一工程を説明するための模式図である。
【図１４】本発明の他の実施形態の接ぎ木方法（斜め接ぎ法）の一工程を説明するための模式図である。
【図１５】図１４の工程に続く一工程を説明するための模式図である。
【図１６】図１５の工程に続く一工程を説明するための模式図である。
【発明を実施するための形態】
【００１６】
以下、本発明の接ぎ木方法を図示の実施の形態により詳細に説明する。なお、以下の説明では、Ｘ方向の矢印の先端側を「正面側」とし、Ｙ方向の矢印の先端側を「右側」とし、Ｙ方向の矢印の基端側を「左側」とし、Ｚ方向の矢印の先端側を「上側」とし、Ｚ方向の矢印の基端側を「下側」としている。
【００１７】
図１は、本発明の一実施形態の接ぎ木方法（割り接ぎ法）で使用する台木１の模式斜視図である。また、図２は、上記接ぎ木方法で使用する穂木２の模式斜視図である。図１，図２において、Ｘ方向は胚軸１１，２１の径方向に相当し、Ｙ方向はＸ方向に直交する胚軸１１，２１の他の径方向に相当し、Ｚ方向は胚軸１１，２１の軸方向に相当する。
【００１８】
台木１は、図１に示すように、例えばカボチャの台木苗の胚軸の軸方向に垂直な面に沿うように上記胚軸を切断して得られる。より詳しく説明すると、上記台木苗を切断して得られる２つの部分のうち、根１３側の部分を台木１として使用する。台木１は、胚軸１１と、この胚軸１１の上端部１１ａから伸びる子葉１２Ａ，１２Ｂと、胚軸１１の下端部１１ｂに連なる根１３とを備える。胚軸１１の上端部１１ａは、切れ込み１４を有する。この切れ込み１４は、平板形状の刃（図示せず）を使って、切断面１５からＺ軸方向に沿って延びるように形成される。
【００１９】
穂木２は、図２に示すように、例えばナスの穂木苗の胚軸の軸方向に傾斜する面に沿って穂木苗の胚軸を切断して得られる。より詳しく説明すると、上記穂木苗を切断して得られる２つの部分のうち、本葉２２Ａ，２２Ｂ側の部分を穂木２として使用する。穂木２は、胚軸２１と、この胚軸２１の上端部２１ａから伸びる本葉２２Ａ，２２Ｂとを備える。この胚軸２１は、台木１の胚軸１１の直径よりも大きい直径を有する。
【００２０】
図３は、穂木２の胚軸２１の下端部２１ｂを正面から見たときの模式図である。
【００２１】
胚軸２１の下端部２１ｂは、先細り形状に切断加工されており、ＸＺ平面に対して傾斜する切断面２３Ａ，２３Ｂを有する。この切断面２３Ａと切断面２３Ｂとの間の距離は、胚軸２１の下端に近づくにしたがって狭くなっている。この先細り形状の下端部２１ｂは、例えば、平板形状の刃（図示せず）を１枚使って形成するか、その刃を２枚使って形成する。上記刃を２枚使う場合は、例えば、２枚の刃の先端側から見た形状がＶ字形状となるように、２枚の刃を組み合わせる。
【００２２】
図４は、穂木２の胚軸２１の下端部２１ｂを右側方から見たときの模式図である。
【００２３】
切断面２３Ａは、略半楕円形状を呈する。この切断面２３Ａからは、略半楕円形状の形成層２４Ａと、維管束２５Ａ，２５Ｂ，２５Ｃとが露出している。維管束２５Ａ，２５Ｂ，２５Ｃは、形成層２４Ａの外側に師管２６Ａ，２６Ｂ，２６Ｃを有する一方、形成層２４Ａの内側に道管２７Ａ，２７Ｂ，２７Ｃを有する。この維管束２５Ａは、維管束２５Ｂより胚軸２１の下端側に位置すると共に、胚軸２１の下端からの高さが維管束２５Ｃにおける胚軸２１の下端からの高さと略同じになっている。
【００２４】
なお、Ｄ１は、Ｘ方向に平行な距離であって、維管束２５Ａと維管束２５Ｃとの間の距離を指す。
【００２５】
図５は、穂木２の胚軸２１の下端部２１ｂを左側方から見たときの模式図である。
【００２６】
切断面２３Ｂは、切断面２３Ａ，２３Ｂは、胚軸２１の軸を通るＸＺ平面に関して切断面２３Ａ（図４に示す）と面対称になるように形成されている。別の言い方をすると、切断面２３Ｂからは、形成層２４Ａに対応する形成層２４Ｂと、維管束２５Ａ，２５Ｂ，２５Ｃに対応する維管束２８Ａ，２８Ｂ，２８Ｃとが露出している。この維管束２８Ａ，２８Ｂ，２８Ｃは、維管束２５Ａ，２５Ｂ，２５Ｃと同様に、師管２９Ａ，２９Ｂ，２９Ｃおよび道管３０Ａ，３０Ｂ，３０Ｃを有する。
【００２７】
なお、Ｄ２は、Ｘ方向に平行な距離であって、維管束２８Ａと維管束２８Ｃとの間の距離を指す。
【００２８】
以下、台木１および穂木２を用いる接ぎ木方法について説明する。
【００２９】
まず、上記先細り形状に切断加工された下端部２１ｂに、図６に示すように、切り欠き３１を設ける。すなわち、切り欠き３１が胚軸２１’の下端部２１’ｂに設けられた穂木２’を得る。この切り欠き３１は、先細り形状に加工された下端部２１において穂木２の胚軸２１のＸ方向の中央部（随の一部）を除去するように設けられる（図４参照）。また、切り欠き３１は、Ｙ方向から見た形状が３角形状を呈する。また、切断面２３’Ａは、切り欠き３１の形成により、切断面２３Ａに比べて面積が小さくなる。
【００３０】
次に、切り欠き３１の２つの内面同士が接触するように、穂木２’の胚軸２１’の下端部２１’ｂを例えば指で狭窄する。これにより、図７，図８に示すように、穂木２’’の胚軸２１’’の下端部２１’’ｂをＹ方向から見たときの形状も、先細り形状となる。このとき、維管束２５Ａ，２８Ａと維管束２５Ｃ，２８Ｃとの間の距離Ｄ３，Ｄ４は、図４，図５の距離Ｄ１，Ｄ２よりも短くなる。
【００３１】
次に、図９に示すように、台木１の胚軸１１の上端部１１ａに形成された切れ込み１４に、穂木２’’の胚軸２１’’の下端部２１’’ｂを差し込んで、上端部１１ａと下端部２１’’ｂとを互いに接合する。これにより、維管束２６Ａ，２６Ｃ，２８Ａ，２８Ｃが台木１の胚軸１１の上端部１１ａの形成層１６に接触する（図７，図８参照）。
【００３２】
最後に、台木１の胚軸１１の上端部１１ａから穂木２’’の胚軸２１’’の下端部２１’’ｂが外れないように、上端部１１ａおよび下端部２１’ｂに例えばクリップ（図示せず）を取り付ける。
【００３３】
上記構成の接ぎ木方法では、上記先細り形状に切断加工された下端部２１ｂにおいて、穂木２’の下端から穂木２’の上端側に向かって延在する切り欠き３１を設けることにより、切り欠き３１が設けられた下端部２１’ｂの直径を縮小することができる。したがって、穂木２の胚軸２１の直径が台木１の胚軸１１の直径よりも大きくても、切り欠き３１が設けられた下端部２１’ｂを台木１に接合するとき、その下端部２１’の直径を縮小することで、台木１の師管および導管に、穂木２’’の師管２６Ａ，２６Ｃ，２９Ａ，２９Ｃおよび導管２７Ａ，２７Ｃ，３０Ａ，３０Ｃを接続できる。
【００３４】
このように、穂木２の胚軸２１の直径が台木１の胚軸１１の直径よりも大きくても、穂木２と台木１との接合を良好に行えるので、台木１の胚軸１１の直径と略同じ直径の胚軸を有する穂木を探さなくて済む。したがって、台木１と穂木２との接合作業の効率の低下を抑制することができる。
【００３５】
また、上記先細り形状に加工された下端部１１’において穂木２’の胚軸１１のＸ方向の中央部（随の一部）を除去するように、切り欠き３１を設けることにより、切り欠き３１が設けられた下端部２１’’ｂの直径を縮小したとき、その下端部２１’’ｂの損傷を抑制することができる。
【００３６】
また、切り欠き３１は、Ｙ方向から見た形状が三角形状であるので、切り欠き３１が設けられた下端部２１’ｂの直径を大幅に縮小できる。別の言い方をすれば、距離Ｄ３，Ｄ４は距離Ｄ１，Ｄ２より大幅に短くすることができる。
【００３７】
また、上記髄は、植物の物理学的な形状を保持するためだけに存在し、台木１と穂木２とを１つの個体にするための細胞増殖に関係しないため、随の一部を除去しても、その細胞増殖に悪影響は及ばない。
【００３８】
仮に、図１０に示すように、台木１の胚軸１１の上端部１１ａに形成された切れ込み１４に、穂木２’の胚軸２１’の下端部２１’ｂを差し込んだ場合、維管束２５Ａ，２５Ｃ，２８Ａ，２８Ｃが台木１の胚軸１１の形成層１６に接触しない。
【００３９】
また、カボチャなどのウリ科の植物は、胚軸の径方向の中央部に、胚軸の軸方向に延在する空洞がある。このため、上記ウリ科の植物から台木を作成して、台木の胚軸の径方向の中央部に穂木の胚軸を挿すと、台木の師管および導管が穂木の師管および導管と上手くつながらず、穂木から発根してしまう。
【００４０】
そこで、穂木２’’の胚軸２１’’の下端部２１’’ｂを挿すための切れ込み１４は、図１１に示すように、台木１の胚軸１１の上端部１１ａにおいて径方向の中央部を通らないように形成するのが、穂木２’’の発根を抑制する点で好ましい。
【００４１】
上記実施形態では、台木１は、カボチャの台木苗から得ていたが、ウリ科の他の植物（例えばユウガオ）から得てもよいし、あるいは、ナス科の植物（例えばナス）から得てもよい。
【００４２】
上記実施形態では、台木１は、根１３を備えていたが、根１３を備えないようにしてもよい。すなわち、本発明の接ぎ木方法は、断根接ぎ、居接ぎなどの接ぎ木方法にも適用してもよい。
【００４３】
上記実施形態では、胚軸１１の切断面１５は、平板形状の刃を使って形成されていたが、先端側から見た形状がＶ字形状またはＹ字形状などを呈する刃を使って形成されるようにしてもよい。
【００４４】
上記実施形態では、平板形状の刃を使って、切断面１５からＺ軸方向に沿って延びるように、切れ込み１４を形成していたが、例えば、円錐形の突起を使って、切断面１５からＺ軸方向に沿って延びるように断面Ｖ字形状の穴を形成してもよい。このようにする場合、図１１で説明したときと同様に、上記穴は胚軸１１の径方向の中央部からずらして形成してもよい。別の言い方をすると、上記穴は、胚軸１１の空洞部を避けて形成されてもよい。
【００４５】
上記実施形態において、穂木２は、ナスの穂木苗から得ていたが、ナス科の他の植物（例えばトマト）から得てもよい。
【００４６】
上記実施形態では、切断面２３Ａ，２３Ｂは、胚軸２１の軸を通るＸＺ平面に関して面対称になるように形成されていたが、胚軸２１の軸を通るＸＺ平面に関して面対称にならないよう形成されるようにしてもよい。
【００４７】
上記実施形態では、切り欠き３１は、Ｙ方向から見た形状が三角形状となるように形成していたが、Ｙ方向から見た形状が他の形状（例えば四角形状、五角形状）となるように形成されてもよい。
【００４８】
上記実施形態では、切り欠き３１は、随の一部だけが除去されるように形成されていたが、随の一部と共に通導組織（導管、師管および形成層（細胞増殖の部分））の一部が除去されるように形成されてもよい。
【００４９】
本発明の具体的な実施形態について説明したが、本発明は上記実施形態に限定されるものではなく、本発明の範囲内で種々変更して実施することができる。例えば、上記第１実施形態の変形例同士を組み合わせたものを、本発明の一実施形態としてもよい。
【００５０】
また、本発明の接ぎ木方法は、上記実施形態で説明した割り接ぎ法以外の接ぎ木方法（例えば、挿し接ぎ法、斜め接ぎ法、鞍接ぎ法など）であっても適用してもよい。
【００５１】
本発明の一実施形態の挿し接ぎ法では、例えば、図６の穂木２’を作成した後、下端部２１’ｂのＸ方向両側の表皮を削ぐ程度の加工を行って、図７，図８の工程と同様に、表皮が削がれた下端部を狭窄する。その結果、図１２に示すように、穂木２０２の胚軸２２１の下端部２２１ｂは、図７〜図９の穂木２’’の胚軸２１’’の下端部２１’’ｂよりも先細りとなる。この下端部２２１ｂは、面積が広い一対の切断面と、面積が狭い一対の切断面とを有する。
【００５２】
次に、図１２，図１３に示すように、台木２１１の上端部２１１ａの切断面２１５に設けられた挿入穴２１４に、穂木２０２の胚軸２２１の下端部２２１ｂを挿入する。その後、上記実施形態と同様に、上端部２１１ａおよび下端部２２１ｂに例えばクリップを取り付ける。
【００５３】
このような挿し接ぎ法によっても、上記実施形態と同様の作用効果が得られる。
【００５４】
また、上記挿し接ぎ法では、挿入穴２１４の内面に下端部２２１ｂの４つの切断面が
接触する。このとき、胚軸２２１の表皮が挿入穴２１４内に入らないので、その表皮からの発根を防ぐことができる。
【００５５】
本発明の一実施形態の斜め接ぎ法では、例えば、図１４に示すように、穂木３０２の胚軸３２１の下端部３２１ｂに切り欠き３３１を設ける。このとき、例えば、下端部３２１ｂの随の一部が除去されるように、下端部３２１ｂの径方向に沿って刃（図示せず）を進退させる。切り欠き３３１は、下端部３２１ｂの径方向の両側に長方形状の開口を有する。
【００５６】
次に、図１５に示すように、台木３０１の胚軸３１１の上端部３１１ａを、その胚軸３１１の軸方向に対して傾斜する仮想面Ｆ１に沿って切断すると共に、穂木３０２’の胚軸３２１’の下端部３２１’ｂを、仮想面Ｆ１に平行な仮想面Ｆ２に沿って切断する。このとき、切り欠き３３１の下方の開口が閉じるように、穂木３０２’の胚軸３２１’の下端部３２１’ｂは例えば指で狭窄された状態にする。この状態で切断が行われることによって、下端部３２１ｂを固定した状態で切断できるので、下端部３２１ｂの切断面の形状が所望の形状から大きく外れるのを防ぐことができる。
【００５７】
次に、図１６に示すように、台木３０１’の胚軸３１１’の上端部３１１’ａに設けられた切断面に、穂木３０２’’の胚軸３２１’’の下端部３２１’’ｂに設けられた切断面を接触させる。その後、上記実施形態と同様に、上端部３１１’ａおよび下端部３２１’’ｂに例えばクリップを取り付ける。
【００５８】
このような斜め接ぎ法によっても、上記実施形態と同様の作用効果が得られる。
【００５９】
本発明の一実施形態の鞍接ぎ法では、例えば、上記実施形態において、台木１とは異なる台木と、穂木２’’とを用いればよい。この台木は、胚軸の径方向から見た形状がＶ字形状である溝を胚軸の上端部に有する。
【００６０】
このような鞍接ぎ法によっても、上記実施形態と同様の作用効果が得られる。
【符号の説明】
【００６１】
１，２０１，３０１，３０１’  台木
２，２’２’’，２０２，３０２，３０２’，３０２’’  穂木
１１，２１，２１’，２１’’，２１１，２２１，３１１，３１１’，３２１’，３２１’’  胚軸
１１ａ，２１１ａ，３１１ａ，３１１’ａ  上端部
１１ｂ，２１ｂ，２１’ｂ，２１’’ｂ，２２１ｂ，３２１ｂ，３２１’ｂ，３２１’’ｂ，  下端部
１２Ａ，１２Ｂ  子葉
１３  根
１４  切れ込み
１５，２３Ａ，２３Ｂ  切断面
１６，２４Ａ，２４Ｂ  形成層
２２Ａ，２２Ｂ  本葉
２５Ａ，２５Ｂ，２５Ｃ，２８Ａ，２８Ｂ，２８Ｃ  維管束
２６Ａ，２６Ｂ，２６Ｃ，２９Ａ，２９Ｂ，２９Ｃ  師管
２７Ａ，２７Ｂ，２７Ｃ，３０Ａ，３０Ｂ，３０Ｃ  道管
３１，３３１  切り欠き
【図１】
2020124122.tif 000003
【図２】
2020124122.tif 000004
【図３】
2020124122.tif 000005
【図４】
2020124122.tif 000006
【図５】
2020124122.tif 000007
【図６】
2020124122.tif 000008
【図７】
2020124122.tif 000009
【図８】
2020124122.tif 000010
【図９】
2020124122.tif 000011
【図１０】
2020124122.tif 000012
【図１１】
2020124122.tif 000013
【図１２】
2020124122.tif 000014
【図１３】
2020124122.tif 000015
【図１４】
2020124122.tif 000016
【図１５】
2020124122.tif 000017
【図１６】
2020124122.tif 000018